(57)【要約】      （修正有）【課題】良好な接地効果を得て、音響再生装置で発生した誘導電荷を放出し、ノイズ電圧を除去するノイズキャンセラを得る信号のノイズ除去装置を提供する。【解決手段】信号のノイズ除去装置は、柱体１１、吸収層、管体、筐体１４及びカバー１５を備えるとともに、外部の信号線源の負極端に枢着させてノイズを除去するノイズキャンセラ１を含む。柱体１１は、円筒状を呈し、一端に凹入状に形成された枢着部１１１を有し、外周にメッキ層が形成される。吸収層は、中空状を呈して柱体１１の外周に嵌合される。管体は、中空状を呈して吸収層の外周に嵌合される。筐体１４の外縁壁の周囲には、チャンバが嵌合される。チャンバの内縁壁には、鉱石層が形成される。カバー１５は、筐体１４の一端を覆って封止状態を形成するとともに、柱体１１に設けた枢着部１１１に対応して形成された開口部を有する。【選択図】図２
0003192360.tif 000002
【実用新案登録請求の範囲】
【請求項１】
柱体、吸収層、管体、筐体及びカバーを備えるとともに、外部の信号線源の負極端に枢着させてノイズを除去するノイズキャンセラを含む信号のノイズ除去装置であって、
柱体は、円筒状を呈し、一端に凹入状に形成された枢着部を有し、外周にメッキ層が形成され、
吸収層は、中空状を呈して柱体の外周に嵌合され、
管体は、中空状を呈して吸収層の外周に嵌合され、
筐体の外縁壁の周囲には、チャンバが嵌合され、
チャンバの内縁壁には、鉱石層が形成され、
カバーは、筐体の一端を覆って封止状態を形成するとともに、柱体に設けた枢着部に対応して形成された開口部を有することを特徴とする信号のノイズ除去装置。
【請求項２】
柱体は、枢着部に連通した挟持部を一側に少なくとも１つ有することを特徴とする請求項１に記載の信号のノイズ除去装置。
【請求項３】
柱体は銅からなることを特徴とする請求項２に記載の信号のノイズ除去装置。
【請求項４】
柱体のメッキ層は銀からなることを特徴とする請求項１に記載の信号のノイズ除去装置。
【請求項５】
吸収層は高低周波数吸収材料からなることを特徴とする請求項１に記載の信号のノイズ除去装置。
【請求項６】
管体はアルミニウムからなることを特徴とする請求項１に記載の信号のノイズ除去装置。
【請求項７】
筐体のチャンバの内縁壁には、複数の弧形溝部が環状配列されていることを特徴とする請求項１に記載の信号のノイズ除去装置。
【請求項８】
筐体の外縁壁には滑り止め層が形成されていることを特徴とする請求項１に記載の信号のノイズ除去装置。
【考案の詳細な説明】
【技術分野】
【０００１】
本考案は、信号のノイズ除去装置に関し、特に、信号線源の負極端にシールド線を枢着し、ノイズを除去する信号のノイズ除去装置に関する。
【背景技術】
【０００２】
電気信号線路は、日常生活の各種電気製品に幅広く使用され、特に、テレビ、音響再生装置、ＤＶＤプレーヤ、ＣＣＤ検出器、コンピュータ装置などといった視聴装置又はデータ装置は、各視聴装置又はデータ装置の連結送信の安定度を維持し、送信したり表示したりする機能を得るために、適切な電気信号ケーブルを利用することが求められていた。
【０００３】
一般にノイズ発生の原因としては以下（１）〜（３）がある。
（１）接地回路ノイズ：音響再生装置システムでは、システム全体が良好に接地される必要があり、その接地抵抗は４オームより小さいことが求められていた。接地抵抗が４オームより大きい場合、音響再生装置システム中が各種輻射及び電磁誘導により生成された誘導電荷が放出されず、ノイズ電圧がオーディオ信号中に生じることがある。
（２）電磁輻射干渉ノイズ：例えば、携帯電話、トランシーバなどといった通信機器の高周波電磁波輻射干渉などにより周辺環境の電磁波干渉が発生する。周辺環境のエレベータ、空調、自動車のエンジン、溶接などにより発生する電気パルス輻射は、オーディオケーブルを介して送信信号中に混入してノイズが生じたり、遮断効果が好ましくない機器設備の外カバーを透過して内部の回路まで達し、干渉によるノイズが発生したりすることがある。
（３）電源干渉ノイズ：音響再生装置機器の外部干渉は、電磁輻射方式の他、電源部分に干渉ノイズが導入されることがノイズ発生の主な原因である。都市の電力ネットワークには、様々な照明設備、動力設備、制御設備などが一緒に接続され、悪影響を及ぼす干渉源が形成されている。もし同一の電力ネットワーク中の電灯調整機器、空調、モータなどの設備が電源線路上にスパイク、電流サージ、異なる周波数のリップル電圧が発生すると、電源線路を介して音響再生装置機器の給電電源へ入り込み、干渉ノイズの一部が音響再生装置機器の電源回路を通って除去することができず、装置内部にノイズが発生することがあった。
【０００４】
上述したような問題を解決する方法としては、例えば、信号線、電源線を特殊なカバーで覆って電子輻射干渉を効果的に除去したり、磁気漏れが大きな機器を他の機器より遠い場所に設置したり、或いは、鉄製フレームで覆って磁場輻射を除去する方式があった。給電線路から入った干渉信号に対しては、交流浄化電源を採用することが効果的であるが、このような電源は有源と無源との２種類に分けられる。有源は、交流を安定させる作用を兼ね備え、干渉を除去することができる上、給電電圧を安定させ、機器の動作を正常な状態にすることができる。無源は、干渉を除去する機能のみしか有しておらず、一般に受けプラグの方式が採用されていた。例えば、家の給電電圧が比較的安定し、このような電源浄化装置は好ましい効果を有する。そのため、一部の交流浄化電源は、電圧を安定させてフィルタ作用を有する上、力率補償、波形補正の機能を有する。
【考案の概要】
【考案が解決しようとする課題】
【０００５】
本考案の目的は、良好な接地効果を得て、音響再生装置で発生した誘導電荷を放出し、ノイズ電圧を除去するノイズキャンセラを得る信号のノイズ除去装置を提供することにある。
【課題を解決するための手段】
【０００６】
上記課題を解決するために、本考案の第１の形態によれば、柱体、吸収層、管体、筐体及びカバーを備えるとともに、外部の信号線源の負極端に枢着させてノイズを除去するノイズキャンセラを含む信号のノイズ除去装置であって、柱体は、円筒状を呈し、一端に凹入状に形成された枢着部を有し、外周にメッキ層が形成され、吸収層は、中空状を呈して柱体の外周に嵌合され、管体は、中空状を呈して吸収層の外周に嵌合され、筐体の外縁壁の周囲には、チャンバが嵌合され、チャンバの内縁壁には、鉱石層が形成され、カバーは、筐体の一端を覆って封止状態を形成するとともに、柱体に設けた枢着部に対応するように形成された開口部を有することを特徴とする信号のノイズ除去装置が提供される。
【図面の簡単な説明】
【０００７】
【図１】本考案の一実施形態に係る信号のノイズ除去装置を示す斜視図である。
【図２】本考案の一実施形態に係る信号のノイズ除去装置を示す分解斜視図である。
【図３】本考案の一実施形態に係る信号のノイズ除去装置を示す横断面図である。
【図４】本考案の一実施形態に係る信号のノイズ除去装置を示す縦断面図である。
【図５】本考案の一実施形態に係る信号のノイズ除去装置の使用状態の説明図である。
【図６】本考案の他の実施形態に係る信号のノイズ除去装置の使用状態の説明図である。
【考案を実施するための形態】
【０００８】
図１〜図３を参照する。図１〜図３に示すように、本考案の一実施形態に係る信号のノイズ除去装置は、柱体１１、吸収層１２、管体１３、筐体１４及びカバー１５から構成されたノイズキャンセラ１を含む。
【０００９】
柱体１１は、全体が円筒状を呈する。柱体１１は、銅材料からなり、一端に凹入状に形成された枢着部１１１と、一側に凹入状に形成された少なくとも１つの挟持部１１２と、を有する。各挟持部１１２は、枢着部１１１と連通している。柱体１１の外周には、メッキ層１１３が形成され（図３参照）、メッキ層１１３は銀材料からなる。
【００１０】
吸収層１２は、全体が中空状を呈して柱体１１の外周に嵌合されている。吸収層１２は、高低周波数吸収材料からなる。
【００１１】
管体１３は、全体が中空状を呈して吸収層１２の外周に嵌合されている。管体１３は、アルミニウム材料からなる。
【００１２】
筐体１４は、凹入状を呈したチャンバ１４１を有する。筐体１４のチャンバ１４１は、管体１３の外縁壁の周囲に嵌合され、チャンバ１４１の内縁壁に鉱石層１４２が形成されている。チャンバ１４１の内縁壁には、複数の弧形溝部１４３が環状配列されている。筐体１４の外縁壁には、滑り止め層１４４が形成されている。滑り止め層１４４は、突出状又は顆粒状である。
【００１３】
カバー１５は、筐体１４の一端を覆って封止状態を形成する。カバー１５には、柱体１１に設けた枢着部１１１に対応した開口部１５１が形成されている。
【００１４】
図４〜図６を参照する。図４〜図６に示すように、本考案の一実施形態に係る信号のノイズ除去装置を一般の音響再生装置に利用すると、各種輻射及び電磁誘導により生成された誘導電荷を放出してオーディオ信号に蓄積されたノイズ電圧を除去するために、良好な接地を行わなければならなかったが、本考案のノイズキャンセラ１はその効果を得ることができる。ノイズキャンセラ１は、柱体１１と、柱体１１の一端に凹入状に形成された枢着部１１１と、を含む。柱体１１の一側には、枢着部１１１と連通する少なくとも１つの挟持部１１２が設けられ、柱体１１の外周部にはメッキ層１１３が形成され、柱体１１の外周部には吸収層１２が嵌合され、吸収層１２の外周部には、管体１３が嵌合され、管体１３の外周部には筐体１４が嵌合されている。筐体１４と管体１３との間には、鉱石層１４２が形成されるとともに、筐体１４のチャンバ１４１の内縁壁には、環状配列された複数の弧形溝部１４３が形成され、弧形溝部１４３を管体１３の外縁壁に当接させて管体１３を固定し、筐体１４がカバー１５で覆われる。カバー１５には、柱体１１に設けられた枢着部１１１に対応した開口部１５１が形成されている。
【００１５】
まず、外部の音響再生装置２の負極端２１の押圧端２１１を押圧してシールド線２１２を挟持し、カバー１５の開口部１５１にシールド線２１２を挿通させ、柱体１１の枢着部１１１に枢着させ、柱体１１の挟持部１１２に外部の螺着部材を挿設し、負極端２１のシールド線２１２を固定する。柱体１１は銅材料からなり、銅の抵抗係数が小さい原理を利用して音響再生装置２を接地状態にする。外部の音響再生装置２が各種輻射及び電磁誘導により生成された誘導電荷を放出し、吸収層１２を高低周波数吸収材料で形成する。また、筐体１４と管体１３との間には、鉱石層１４２が形成され、外部の音響再生装置２によりノイズ電圧がノイズキャンセラ１内に生じると、ノイズ電圧を消去する効果を得る（図５参照）。また、本実施形態のノイズキャンセラ１は、外部の音響再生装置２の電源供給装置２２の負極端２２１に枢着され、外部の音響再生装置２の電源供給装置２２がプラグ受け２３に挿入されると、柱体１１が銅材料からなるため、銅の抵抗係数が小さい原理を利用して音響再生装置２を接地し、外部の音響再生装置２が各種輻射及び電磁誘導により生成された誘導電荷を放出し、吸収層１２を高低周波数吸収材料で形成する。また、筐体１４と管体１３との間に形成された鉱石層１４２を利用し、外部の音響再生装置２によりノイズキャンセラ１内に生じたノイズ電圧を除去してもよい（図６参照）。
【符号の説明】
【００１６】
１      ノイズキャンセラ
２      音響再生装置
１１    柱体
１２    吸収層
１３    管体
１４    筐体
１５    カバー
２１    負極端
２２    電源供給装置
２３    プラグ受け
１１１  枢着部
１１２  挟持部
１１３  メッキ層
１４１  チャンバ
１４２  鉱石層
１４３  弧形溝部
１４４  滑り止め層
１５１  開口部
２１１  押圧端
２１２  シールド線
２２１  負極端
【図１】
0003192360.tif 000003
【図２】
0003192360.tif 000004
【図３】
0003192360.tif 000005
【図４】
0003192360.tif 000006
【図５】
0003192360.tif 000007
【図６】
0003192360.tif 000008